(57)【要約】【課題】製版データにおいて指定色以外の色を検出できる検査装置等を提供する。【解決手段】印刷用の画像データを取得し（Ｓ１）画像データに対する印刷用の基本色に関する設定値を取得し（Ｓ２）、基本色のうち、画像データから検出する検出色を、設定値から決定し（Ｓ４）、画像データから検出色を検出し（Ｓ５）画像データが表示された表示画面に検出色が検出された部分を強調して表示するための検査結果情報を生成する（Ｓ８）。【選択図】図３
2016217819.tif 000002
【特許請求の範囲】
【請求項１】
印刷用の画像データを取得するデータ取得手段と、
前記画像データに対する印刷用の基本色に関する設定値を取得する設定値取得手段と、
前記基本色のうち、前記画像データから検出する検出色を、前記設定値から決定する検出色決定手段と、
前記画像データから前記検出色を検出する検出手段と、
前記画像データが表示された表示画面に前記検出色が検出された部分を強調して表示するための検査結果情報を生成する情報生成手段と、
を備えることを特徴とする検査装置。
【請求項２】
請求項１に記載の検査装置において、
前記情報生成手段が、前記検出色が検出された部分を囲う線によって強調して表示する検査結果情報を生成することを特徴とする検査装置。
【請求項３】
請求項１または請求項２に記載の検査装置において、
前記画像データにおける各前記基本色の画素数を計数する計数手段を更に備え、
前記設定値取得手段が、設定される前記基本色の色数の情報を取得し、
前記検出色決定手段が、前記計数された各基本色の画素数と前記色数とから前記検出色を決定することを特徴とする検査装置。
【請求項４】
請求項３に記載の検査装置において、
前記検出色決定手段が、前記計数された各基本色の画素数の多さの順位が、前記色数に１を加えた数以降の順位である基本色を、前記検出色に決定することを特徴とする検査装置。
【請求項５】
請求項１から請求項４のいずれか１項に記載の検査装置において、
前記情報生成手段が、前記決定された検出色の情報を生成することを特徴とする検査装置。
【請求項６】
データ取得手段が、印刷用の画像データを取得するデータ取得ステップと、
設定値取得手段が、前記画像データに対する印刷用の基本色に関する設定値を取得する設定値取得ステップと、
検出色決定手段が、前記基本色のうち、前記画像データから検出する検出色を、前記設定値から決定する検出色決定ステップと、
検出手段が、前記画像データから前記検出色を検出する検出ステップと、
情報生成手段が、前記画像データが表示された表示画面に前記検出色が検出された部分を強調して表示するための検査結果情報を生成する情報生成ステップと、
を有することを特徴とする検査方法。
【請求項７】
コンピュータを、
印刷用の画像データを取得するデータ取得手段、
前記画像データに対する印刷用の基本色に関する設定値を取得する設定値取得手段、
前記基本色のうち、前記画像データから検出する検出色を、前記設定値から決定する検出色決定手段、
前記画像データから前記検出色を検出する検出手段、および、
前記画像データが表示された表示画面に前記検出色が検出された部分を強調して表示するための検査結果情報を生成する情報生成手段として機能させることを特徴とする検査装置用のプログラム。
【発明の詳細な説明】
【技術分野】
【０００１】
本発明は、検査装置、検査方法、および、検査装置用のプログラムに関する。
【背景技術】
【０００２】
コンピュータ上で作成された図面や、デジタルカメラで撮像された画像は、ＲＧＢデータで表現されているため、印刷用の製版データとして、Ｃ（cyan）、Ｍ（magenta）、Ｙ（yellow）、およびＫ、（key (black)）の４成分の色の表現法に変換している。この変換後のデータに対して、実際に印刷を行う前に検査が行われている。例えば、特許文献１には、色変換後のデータで印刷を行った場合にトーンジャンプや色転びなどが発生するかを予め検査することのできる画像検査装置が開示されている。
【先行技術文献】
【特許文献】
【０００３】
【特許文献１】特開２００９−２６０７７５号公報
【発明の概要】
【発明が解決しようとする課題】
【０００４】
しかし、印刷時において、ユーザから印刷における色の種類が指定されることがあり、従来技術においては、製版データに指定色以外の色が混入した場合に対処できない問題があった。
【０００５】
そこで、本発明は上記の問題点等に鑑みて為されたもので、その課題の一例は、製版データにおいて指定色以外の色を検出できる検査装置等を提供することを目的とする。
【課題を解決するための手段】
【０００６】
上記の課題を解決するために、請求項１に記載の発明は、印刷用の画像データを取得するデータ取得手段と、前記画像データに対する印刷用の基本色に関する設定値を取得する設定値取得手段と、前記基本色のうち、前記画像データから検出する検出色を、前記設定値から決定する検出色決定手段と、前記画像データから前記検出色を検出する検出手段と、前記画像データが表示された表示画面に前記検出色が検出された部分を強調して表示するための検査結果情報を生成する情報生成手段と、を備えることを特徴とする。
【０００７】
また、請求項２に記載の発明は、請求項１に記載の検査装置において、前記情報生成手段が、前記検出色が検出された部分を囲う線によって強調して表示する検査結果情報を生成することを特徴とする。
【０００８】
また、請求項３に記載の発明は、請求項１または請求項２に記載の検査装置において、前記画像データにおける各前記基本色の画素数を計数する計数手段を更に備え、前記設定値取得手段が、設定される前記基本色の色数の情報を取得し、前記検出色決定手段が、前記計数された各基本色の画素数と前記色数とから前記検出色を決定することを特徴とする。
【０００９】
また、請求項４に記載の発明は、請求項３に記載の検査装置において、前記検出色決定手段が、前記計数された各基本色の画素数の多さの順位が、前記色数に１を加えた数以降の順位である基本色を、前記検出色に決定することを特徴とする。
【００１０】
また、請求項５に記載の発明は、請求項１から請求項４のいずれか１項に記載の検査装置において、前記情報生成手段が、前記決定された検出色の情報を生成することを特徴とする。
【００１１】
また、請求項６に記載の発明は、データ取得手段が、印刷用の画像データを取得するデータ取得ステップと、設定値取得手段が、前記画像データに対する印刷用の基本色に関する設定値を取得する設定値取得ステップと、検出色決定手段が、前記基本色のうち、前記画像データから検出する検出色を、前記設定値から決定する検出色決定ステップと、検出手段が、前記画像データから前記検出色を検出する検出ステップと、情報生成手段が、前記画像データが表示された表示画面に前記検出色が検出された部分を強調して表示するための検査結果情報を生成する情報生成ステップと、を有することを特徴とする。
【００１２】
また、請求項７に記載の発明は、コンピュータを、印刷用の画像データを取得するデータ取得手段、前記画像データに対する印刷用の基本色に関する設定値を取得する設定値取得手段、前記基本色のうち、前記画像データから検出する検出色を、前記設定値から決定する検出色決定手段、前記画像データから前記検出色を検出する検出手段、および、前記画像データが表示された表示画面に前記検出色が検出された部分を強調して表示するための検査結果情報を生成する情報生成手段として機能させることを特徴とする。
【発明の効果】
【００１３】
本発明によれば、画像データに対する印刷用の基本色に関する設定値から、画像データから検出する検出色を決定し、検出色を検出することにより、製版データにおいて指定色以外の色を検出できる。
【図面の簡単な説明】
【００１４】
【図１】本発明の実施形態に係る検査装置の機能ブロックの一例を示すブロック図である。
【図２】図１の検査装置の概要構成の一例を示すブロック図である。
【図３】図１の検査装置の動作例を示すフローチャートである。
【図４】検査装置の操作画面の一例を示す模式図である。
【図５】検査する画像の一例を示す模式図である。
【図６】検査する画像の一例を示す模式図である。
【図７】検査する画像の一例を示す模式図である。
【図８】検査結果の画像の一例を示す模式図である。
【図９】検査結果の画像の一例を示す模式図である。
【図１０】検査結果の画像の一例を示す模式図である。
【図１１】検査結果の表示の一例を示す模式図である。
【図１２】発明の実施形態に係る検査装置の機能ブロックの変形例を示すブロック図である。
【図１３】図１の検査装置の動作の変形例を示すフローチャートである。
【図１４】検査装置の操作画面の変形例を示す模式図である。
【図１５】検査結果の表示の一例を示す模式図である。
【発明を実施するための形態】
【００１５】
以下、図面を参照して本発明の実施形態について説明する。なお、以下に説明する実施の形態は、検査装置に対して本発明を適用した場合の実施形態である。
【００１６】
［１．検査装置１０の構成および機能概要］
まず、本発明の一実施形態に係る検査装置の構成および概要機能について、図１および図２を用いて説明する。
【００１７】
図１は、本発明の実施形態に係る検査装置の機能ブロックの一例を示すブロック図である。図２は、検査装置の概要構成の一例を示すブロック図である。
【００１８】
図１に示すように、検査装置１０は、印刷用の製版データである画像データを取得し、画像データに対する印刷用の基本色に関する設定値を取得する取得手段１０ａ（データ取得手段および設定値取得手段の一例）と、基本色のうち、画像データから検出する検出色を、設定値から決定する検出色決定手段１０ｂと、前記画像データから前記検出色を検出する検出手段１０ｃと、前記画像データが表示された表示画面に検出色が検出された部分を強調して表示するための検査結果情報を生成する情報生成手段１０ｄと、を備える。
【００１９】
印刷用の製版データである画像データは、ＲＧＢデータ等を、印刷用の製版データに変換したデータである。
【００２０】
画像データに対する印刷用の基本色の一例として、Ｃ（cyan）、Ｍ（magenta）、Ｙ（yellow）、およびＫ、（key (black)）の４成分の色が挙げられる。なお、基本色は、色の三原色および黒のように、これらの組合せで、印刷後の色を表現できる色であればよい。
【００２１】
次に、検査装置１０の概要構成の一例について図２を用いて説明する。
【００２２】
図２に示すように、コンピュータとして機能する検査装置１０は、通信部１１と、記憶部１２と、表示部１３と、操作部１４と、入出力インターフェース部１５と、システム制御部１６とを備えている。そして、システム制御部１６と入出力インターフェース部１５とは、システムバス１７を介して接続されている。
【００２３】
通信部１１は、検査後の画像データの印刷を行う印刷サーバ装置等とのデータや信号の送受信を行う。
【００２４】
記憶部１２は、例えば、ハードディスクドライブ等からなり、オペレーティングシステム、検査用のプログラム等を記憶する。
【００２５】
表示部１３は、例えば、液晶表示素子または有機ＥＬ素子等によって構成されている。表示部１３には、検査する画像データの情報や検査結果の情報等が表示される。
【００２６】
操作部１４は、例えば、キーボードおよびマウス等によって構成されている。オペレータは、操作部１４を使用して、検査を行う画像データのファイルを操作する。
【００２７】
入出力インターフェース部１５は、通信部１１および記憶部１２とシステム制御部１６とのインターフェースである。
【００２８】
システム制御部１６は、例えば、ＣＰＵ１６ａと、ＲＯＭ１６ｂと、ＲＡＭ１６ｃとを有する。システム制御部１６は、ＣＰＵ１６ａが、ＲＯＭ１６ｂや、ＲＡＭ１６ｃや、記憶部１２に記憶された各種プログラムを読み出して実行する。なお、これらのプログラムを記憶した記録媒体等をシステム制御部１６が読み出し実行してもよい。
【００２９】
［２．検査装置の動作］
次に、本発明の１実施形態に係る検査装置の動作について図３から図１０を用いて説明する。
【００３０】
図３は、検査装置１０の動作例を示すフローチャートである。図４は、検査装置１０の操作画面の一例を示す模式図である。図５から図７は、検査する画像の一例を示す模式図である。図８から図１０は、検査結果の画像の一例を示す模式図である。
【００３１】
図３に示すように、検査装置１０は、画像データを取得する（ステップＳ１）。具体的には、検査装置１０のシステム制御部１６が、取得手段１０ａとして、ユーザであるオペレータの画面操作により、画像データを取得する。例えば、図４に示すように、顧客から提出された印刷用の製版データである画像データのファイルを、表示部１３の画面上に表示された検査するための検査処理フォルダＦに、オペレータＯｐがドラッグ＆ドロップする。検査処理フォルダＦにファイルが入ると、検査処理プログラムが起動し、システム制御部１６が、画像データを取得する。なお、オペレータＯｐが、画像データのファイル名を入力したり、選択したりしてもよい。
【００３２】
例えば、図５に示すように、検査装置１０は、画像２０の画像データを取得する。この画像２０は、黒色の領域Ｋ１、灰色の領域Ｋ２、青色の領域Ｃｙ１、および、水色の領域Ｃｙ２を有する。なお、黒色の領域Ｋ１、灰色の領域Ｋ２、青色の領域Ｃｙ１、および、水色の領域Ｃｙ２には、重なりがある。
【００３３】
例えば、図６に示すように、検査装置１０は、画像２１の画像データを取得する。この画像２１は、青色の領域Ｃｙ１、水色の領域Ｃｙ２、黄色の領域Ｙ１、および、赤色の領域Ｍａ１を有する。なお、青色の領域Ｃｙ１、水色の領域Ｃｙ２、黄色の領域Ｙ１、および、赤色の領域Ｍａ１には、重なりがある。
【００３４】
例えば、図７に示すように、検査装置１０は、画像２２の画像データを取得する。この画像２２は、赤色の領域Ｍａ１、青色の領域Ｃｙ１、黒色の領域Ｋ１、および、黄色の領域Ｙ１を有する。なお、赤色の領域Ｍａ１、青色の領域Ｃｙ１、黒色の領域Ｋ１、および、黄色の領域Ｙ１には、重なりがある。
【００３５】
このように、検査装置１０は、印刷用の画像データを取得するデータ取得手段の一例として機能する。
【００３６】
次に、検査装置１０は、指定色の設定値を取得する（ステップＳ２）。具体的には、検査装置１０のシステム制御部１６が、取得手段１０ａとして、印刷で使用する基本色の情報（画像データに対する印刷用の基本色に関する設定値の一例）を取得する。例えば、印刷を依頼したクライアントが指定した基本色の情報をオペレータが入力する。クライアントが黒（Ｋ）の１色の基本色での印刷を指定する場合、黒色（Ｋ）およびマゼンダ色（Ｍ）等の２色の基本色での印刷を指定する場合、黒（Ｋ）、マゼンダ（Ｍ）およびシアン（Ｃ）等の３色の基本色での印刷を指定する場合が挙げられる。なお、４色指定の場合、指定外色を検出する必要がないため、本検査装置には掛けないものとする。また、特色に関しても、画像データに記録される順番が分かっていれば、指定色の設定が可能である。
【００３７】
このように、検査装置１０は、前記画像データに対する印刷用の基本色に関する指定色の設定値を取得する設定値取得手段の一例として機能する。
【００３８】
次に、検査装置１０は、フォーマットが正しいか否かを判定する（ステップＳ３）。具体的には、検査装置１０のシステム制御部１６が、取得した画像データのフォーマットが、ＣＭＹＫデータであるか否かを判定する。
【００３９】
フォーマットが正しい場合（ステップＳ３；ＹＥＳ）、検査装置１０は、検出色を決定する（ステップＳ４）。具体的には、検査装置１０のシステム制御部１６が、検出色決定手段１０ｂとして、印刷で使用する指定色以外の基本色を、検出色として決定する。例えば、クライアントが黒（Ｋ）の１色の基本色での印刷を指定する場合、シアン（Ｃ）、マゼンダ（Ｍ）、イエロー（Ｙ）の基本色が検出色となる。クライアントが黒（Ｋ）およびマゼンダ（Ｍ）の２色の基本色での印刷を指定する場合、シアン（Ｃ）およびイエロー（Ｙ）の基本色が検出色となる。クライアントが黒（Ｋ）、マゼンダ（Ｍ）およびシアン（Ｃ）の３色の基本色での印刷を指定する場合、イエロー（Ｙ）の基本色が検出色となる。
【００４０】
このように、検査装置１０は、前記基本色のうち、前記画像データから検出する検出色を、前記指定色の設定値から決定する検出色決定手段の一例として機能する。
【００４１】
フォーマットが正しくない場合（ステップＳ３；ＮＯ）、検査装置１０は、処理を終了する。例えば、画像データのフォーマットがＲＧＢデータの場合が挙げられる。
【００４２】
次に、検査装置１０は、画像の検査を行う（ステップＳ５）。検査装置１０のシステム制御部１６が、検出手段１０ｃとして、例えば、画像２０（画像２１または画像２２）に対して、１画素ずつスキャンして、検出色があるか否かを判定し、検出色が検出された座標を、ＲＡＭ１６ｃ等に記憶する。
【００４３】
このように、検査装置１０は、前記画像データから前記検出色を検出する検出手段の一例として機能する。
【００４４】
次に、検査装置１０は、エラーか否かを判定する（ステップＳ６）。検査装置１０のシステム制御部１６が、例えば、メモリ上のエラーが発生したか否かを判定する。
【００４５】
エラーがある場合（ステップＳ６；ＹＥＳ）、検査装置１０は、処理を終了する。
【００４６】
エラーがない場合（ステップＳ６；ＮＯ）、検査装置１０は、結果画像を生成し、記録する（ステップＳ７）。具体的には、検査装置１０のシステム制御部１６が、情報生成手段１０ｄとして、検査結果に基づき、結果画像を生成し、記憶部１２に記憶する。
【００４７】
例えば、画像２０の画像データにおいて、指定色が、黒（Ｋ）の１色の場合、青色の領域Ｃｙ１および水色の領域Ｃｙ２のように、シアン（Ｃ）の画素が検出された箇所、すなわち、図８に示すように、青色の領域Ｃｙ１と水色の領域Ｃｙ２との和の領域Ｒを検査装置１０は特定する。検査装置１０は、領域Ｒを強調するために、元の図に使われていない色や赤色等の目立つ色で領域Ｒを塗りつぶし、結果画像２５（検査結果情報の一例）を生成する。
【００４８】
さらに、図８に示すように、領域Ｒを囲う太い線を描いて、強調してもよい。また、図８に示すように、領域Ｒが目立つように、領域Ｋ１および領域Ｋ２の色を薄くして、それぞれ領域Ｋ３および領域Ｋ４のような色に変えてもよい。
【００４９】
また、画像２１の画像データにおいて、指定色が、シアン（Ｃ）およびイエロー（Ｙ）の２色の場合、ピンク色の領域Ｍａ１のように、マゼンダ（Ｍ）の画素が検出された箇所、すなわち、図９に示すように、領域Ｍａ１に対応する領域Ｒを検査装置１０は特定する。検査装置１０は、領域Ｒを強調するために、元の図に使われていない色や赤色等の目立つ色で領域Ｒを塗りつぶし、結果画像２６（検査結果情報の一例）を生成する。
【００５０】
さらに、図９に示すように、領域Ｒを囲う太い線を描いて、強調してもよい。また、図９に示すように、領域Ｒが目立つように、領域Ｃｙ１、領域Ｃｙ２および領域Ｙ１の色を薄くして、それぞれ領域Ｃｙ３、領域Ｃｙ４および領域Ｙ２のような色に変えてもよい。
【００５１】
また、画像２２の画像データにおいて、指定色が、マゼンダ（Ｍ）およびイエロー（Ｙ）の２色の場合、青色の領域Ｃｙ１および黒色の領域Ｋ１のように、シアン（Ｃ）および黒（Ｋ）の画素が検出された箇所、すなわち、図１０に示すように、青色の領域Ｃｙ１と黒色の領域Ｋ１との和の領域Ｒを検査装置１０は特定する。検査装置１０は、領域Ｒを強調するために、元の図に使われていない色や赤色等の目立つ色で領域Ｒを塗りつぶし、結果画像２７（検査結果情報の一例）を生成する。
【００５２】
さらに、図１０に示すように、領域Ｒを囲う太い線を描いて、強調してもよい。また、図１０に示すように、領域Ｒが目立つように、領域Ｍａ１および領域Ｙ１の色を薄くして、それぞれ領域Ｍａ２および領域Ｙ２のような色に変えてもよい。
【００５３】
このように、検査装置１０は、前記画像データが表示された表示画面に前記検出色が検出された部分を強調して表示するための検査結果情報を生成する情報生成手段の一例として機能する。また、検査装置１０は、前記検出色が検出された部分を囲う線によって強調して表示する検査結果情報を生成する情報生成手段の一例として機能する。また、検査装置１０は、前記決定された検出色の情報を生成する情報生成手段の一例として機能する。
【００５４】
次に、検査装置１０は、結果画像を表示する（ステップＳ８）。具体的には、検査装置１０のシステム制御部１６が、表示部１３に結果画像２５、結果画像２６、または、結果画像２７を表示する。
【００５５】
さらに、図１１に示すように、検査装置１０のシステム制御部１６が、表示部１３に、検査結果の表を表示する。表には検査ＩＤ、検査した画像のファイル名、検査日時、検査結果等が表示される。検査結果には、まず検査時の指定色が表示される。そして、指定色以外の基本色が無い場合は、続けて”エラー無し”と表示され、指定色以外の基本色がある場合は、指定色以外として検出して塗られた色が何色かを示す検出色と、検出した事実として”多色混入”と表示される。
【００５６】
以上、本実施形態によれば、画像データに対する印刷用の基本色に関する設定値から、画像データから検出する検出色を決定し、検出色を検出することにより、製版データにおいて指定色以外の色を検出できる。
【００５７】
また、領域Ｒのように、検出色が検出された部分を強調して表示するので、オペレータにとって、指定色以外の基本色が使用されている部分が分かりやすくなる。
【００５８】
また、領域Ｒのように、検出色が検出された部分を囲う線によって強調して表示することにより、オペレータにとって、指定色以外の基本色が使用されている部分が分かりやすくなる。
【００５９】
図１１に示すように、決定された検出色の情報を生成することにより、検査結果を一覧で確認できる。
【００６０】
［３．検査装置の変形例］
次に、本発明の実施形態に係る検査装置の変化例について図を用いて説明する。なお、前記実施形態と同一または対応する部分には、同一の符号を用いて異なる構成および作用のみを説明する。その他の実施形態および変形例も同様とする。
【００６１】
図１２は、発明の実施形態に係る検査装置の機能ブロックの変形例を示すブロック図である。図１３は、検査装置１０の動作の変形例を示すフローチャートである。図１４は、検査装置１０の操作画面の変形例を示す模式図である。図１５は、検査結果の表示の一例を示す模式図である。
【００６２】
図１２に示すように、取得手段１０ａと検出色決定手段１０ｂとの間に、色面積比較手段１０ｅを有する。
【００６３】
取得手段１０ａは、画像データに対する印刷用の基本色に関する設定値の一例として、設定される基本色の色数の情報を取得する。
【００６４】
色面積比較手段１０ｅ（計数手段の一例）は、各基本色の画素数を計数し、各基本色の画素数を比較する。
【００６５】
前記検出色決定手段１０ｂは、各基本色の画素数と色数とから検出色を決定する。例えば、各基本色の画素数の多さの順位が、色数に１を加えた数以降の順位である基本色を、検出色に決定する。
【００６６】
次に、検査装置１０の動作の変形例について、図１２から図１５を用いて説明する。
【００６７】
図１３に示すように、画像データを取得する（ステップＳ１１）。具体的には、検査装置１０のシステム制御部１６が、ユーザであるオペレータの画面操作により、画像データを取得する。例えば、図１４に示すように、顧客から提出された印刷用の製版データである画像データのファイルを、表示部１３の画面上に表示された検査するための検査処理フォルダＦ１、検査処理フォルダＦ２、および、検査処理フォルダＦ３のいずれか１つのフォルダに、オペレータＯｐがドラッグ＆ドロップする。
【００６８】
ここで、検査処理フォルダＦ１は、指定色の色数が１の場合の処理を行うフォルダ、検査処理フォルダＦ２は、指定色の色数が２の場合の処理を行うフォルダ、検査処理フォルダＦ３は、指定色の色数が３の場合の処理を行うフォルダである。検査処理フォルダＦ１、Ｆ２、Ｆ３にファイルが入ると、各色数に応じた検査処理ブログラムが起動し、システム制御部１６が、ステップＳ１のように画像データを取得する。
【００６９】
このように、検査装置１０は、印刷用の画像データを取得するデータ取得手段の一例として機能する。
【００７０】
次に、検査装置１０は、色数の設定値を取得する（ステップＳ１２）。具体的には、システム制御部１６が、画像データに対する印刷用の基本色に関する設定値の一例として、印刷で使用する基本色の色数の情報を取得する。例えば、印刷を依頼したクライアントが指定した基本色の色数に応じて、オペレータが、色数に対応するフォルダに、顧客から提出された印刷用の製版データである画像データのファイルを、ドラッグ＆ドロップして、どのフォルダが選択されたことにより、検査装置１０が、指定した基本色の色数の情報を取得する。他にも、設定ファイルを用意する、ファイル名末尾に色数を記載する等、各画像データに対し、色数を指定できれば手段は言及しない。
【００７１】
このように、検査装置１０は、前記画像データに対する印刷用の基本色に関する色数の設定値を取得する設定値取得手段の一例として機能する。
【００７２】
次に、検査装置１０は、ステップＳ３のように、フォーマットが正しいか否か判定する（ステップＳ１３）。
【００７３】
フォーマットが正しくない場合（ステップＳ１３；ＮＯ）、検査装置１０は、処理を終了する。
【００７４】
フォーマットが正しい場合（ステップＳ１３；ＹＥＳ）、検査装置１０は、各色画素数を計数する（ステップＳ１４）。検査装置１０のシステム制御部１６が、色面積比較手段１０ｅとして、例えば、画像２０（画像２１または画像２２）に対して、１画素ずつスキャンして、各基本色の画素数を計数し、各基本色の色画素数を求める。システム制御部１６が、色画素数に応じた各基本色の順位を決定する。例えば、色画素数が最も多い基本色を１位とする。
【００７５】
このように、検査装置１０は、前記画像データにおける各前記基本色の画素数を計数する計数手段の一例として機能する。
【００７６】
次に、検査装置１０は、計数された各基本色の画素数と前記色数の設定値とから検出色を決定する（ステップＳ１５）。具体的には、検査装置１０のシステム制御部１６が、計数された各基本色の画素数の多さの順位が、指定した基本色の色数に１を加えた数以降の順位である基本色を、検出色に決定する。
【００７７】
このように、検査装置１０は、前記基本色のうち、前記画像データから検出する検出色を、前記計数された各基本色の画素数と前記色数の設定値とから決定する検出色決定手段の一例として機能する。また、検査装置１０は、前記計数された各基本色の画素数の多さの順位が、前記色数に１を加えた数以降の順位である基本色を、前記検出色に決定する検出色決定手段の一例として機能する。
【００７８】
次に、検査装置１０は、ステップＳ５のように、画像の検査を行う（ステップＳ１６）。
【００７９】
次に、検査装置１０は、ステップＳ６のように、エラーか否かを判定する（ステップＳ１７）。
【００８０】
エラーがある場合（ステップＳ１７；ＹＥＳ）、検査装置１０は、処理を終了する。
【００８１】
エラーがない場合（ステップＳ１７；ＮＯ）、検査装置１０は、ステップＳ７のように、結果画像を生成し、記録する（ステップＳ１８）。
【００８２】
次に、検査装置１０は、ステップＳ８のように、結果画像を表示する（ステップＳ１９）。
【００８３】
さらに、図１５に示すように、検査装置１０のシステム制御部１６が、表示部１３に、検出色の情報の一例として、検査結果の表を表示する。検査結果に、単色検査、２色検査および３色検査のいずれかの検査が行われたかの検査種類、画像が何色で構成であるかの構成色、指定色以外として検出して塗られた色は何色かを示す検出色、検査結果はどうであったかの検査結果が表示される。
【００８４】
このように、検査装置１０は、前記決定された検出色の情報を生成する情報生成手段の一例として機能する。
【００８５】
画像データにおける各基本色の画素数を計数し、設定される基本色の色数の情報を取得し、計数された各基本色の画素数と色数とから検出色を決定する場合、指定色を入力する必要がないので、オペレータにとって設定が楽になり、設定のミスを防止することができる。
【００８６】
計数された各基本色の画素数の多さの順位が、色数に１を加えた数以降の順位である基本色を、検出色に決定する場合、指定色を入力する必要がないので、オペレータにとって設定が楽になり、設定のミスを防止することができる。特に、指定色の色数毎のフォルダである、検査処理フォルダＦ１、検査処理フォルダＦ２、および、検査処理フォルダＦ３に、オペレータが、検査する画像データをドラッグ＆ドロップすることにより、簡易に検査ができ、検査画像毎に指定色を設定し直す手間がなくなるとともに、設定のミスを防止することができる。
【００８７】
図１５に示すように、決定された検出色の情報を生成することにより、検査結果を一覧で確認できる。特に、検査種類、構成色、検出色、検査結果が表示されることにより、検索結果の詳細が分かる。
【００８８】
さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００８９】
１０：検査装置
１６：システム制御部
２０、２１、２２：画像
２５、２６、２７：結果画像（検査結果情報）
Ｒ：領域
【図１】
2016217819.tif 000003
【図２】
2016217819.tif 000004
【図３】
2016217819.tif 000005
【図４】
2016217819.tif 000006
【図１１】
2016217819.tif 000007
【図１２】
2016217819.tif 000008
【図１３】
2016217819.tif 000009
【図１４】
2016217819.tif 000010
【図１５】
2016217819.tif 000011
【図５】
2016217819.tif 000012
【図６】
2016217819.tif 000013
【図７】
2016217819.tif 000014
【図８】
2016217819.tif 000015
【図９】
2016217819.tif 000016
【図１０】
2016217819.tif 000017